(57)【要約】  【課題】  省スペースな排水機場の構成を可能とし、さらには維持コスト、設備コストを低減できる排水機場設備を提供する。  【解決手段】  支流河川Ｒ１より流入水路２に流入した水から固形異物を分離するバースクリーン３ａと、前記バースクリーン３ａに沿って固形異物を上方に掻揚げ搬送する掻揚げ機構３ｂを備えた除塵装置３と、前記除塵装置３による除塵後に吸水槽４に流入した水を吐出し水槽６に排水するポンプ装置５と、前記吐出し水槽６から本流河川Ｒ２に排水する吐出し樋管７を備え、前記吐出し水槽６を、前記除塵装置３と前記ポンプ装置５の中間に設置し、前記掻揚げ機構３ｂにより掻き揚げられた固形異物が前記吐出し水槽６に落下搬送されるように構成する。  【選択図】  図１
2005179963.tif 000002
【特許請求の範囲】
【請求項１】
支流河川より流入水路に流入した水から固形異物を分離するバースクリーンと、前記バースクリーンに沿って固形異物を上方に掻揚げ搬送する掻揚げ機構を備えた除塵装置と、前記除塵装置による除塵後に吸水槽に流入した水を吐出し水槽に排水するポンプ装置と、前記吐出し水槽から本流河川に排水する吐出し樋管を備えて構成される排水機場設備であって、
前記吐出し水槽を、前記除塵装置と前記ポンプ装置の中間に設置し、前記掻揚げ機構により掻き揚げられた固形異物が前記吐出し水槽に落下搬送されるように構成してある排水機場設備。
【請求項２】
支流河川より流入水路に流入した水から固形異物を分離するバースクリーンと、前記バースクリーンに沿って固形異物を上方に掻揚げ搬送する掻揚げ機構を備えた除塵装置と、前記除塵装置による除塵後に吸水槽に流入した水を吐出し水槽に排水するポンプ装置と、前記吐出し水槽から本流河川に排水する吐出し樋管を備えて構成される排水機場設備であって、
前記除塵装置により除去された固形異物を前記吐出し水槽に搬送する搬送機構を設けてある排水機場設備。
【発明の詳細な説明】
【技術分野】
【０００１】
本発明は、支流河川より流入水路に流入した水から固形異物を分離するバースクリーンと、前記バースクリーンに沿って固形異物を上方に掻揚げ搬送する掻揚げ機構を備えた除塵装置と、前記除塵装置による除塵後に吸水槽に流入した水を吐出し水槽に排水するポンプ装置と、前記吐出し水槽から本流河川に排水する吐出し樋管を備えて構成される排水機場設備に関する。
【背景技術】
【０００２】
従来、図４（ａ），（ｂ）及び図５（ａ），（ｂ）に示すように、排水機場設備は、支流河川Ｒ１より流入水路２に流入した水から固形異物を分離するバースクリーン３ａと、前記バースクリーン３ａに沿って固形異物を上方に掻揚げ搬送する掻揚げ機構３ｂを備えた除塵装置３と、前記除塵装置３による除塵後に吸水槽４に流入した水を吐出し水槽６に排水するポンプ装置５と、前記吐出し水槽６から本流河川Ｒ２に排水する吐出し樋管７を備えるとともに、支流河川Ｒ１より本流河川Ｒ２に自然流下させる自然排水路９を設けて構成され、通常時には支流河川Ｒ１から本流河川Ｒ２に自然排水路９を介して排水する一方、大量の降雨時には本流河川Ｒ２から支流河川Ｒ１への逆流を回避しながら支流河川Ｒ１から本流河川Ｒ２への排水を行なうべく、自然排水路９に設けたゲート機構１０により自然排水路９を閉塞するとともに、前記ポンプ装置５を作動させて吐出し樋管７から強制的に排水するように構成されていた。
【０００３】
そして、支流河川Ｒ１からの流入水に浮遊する固形異物によるポンプ装置５の故障などを回避するために、流木などの固形異物を除去する除塵装置３が設けられ、除塵装置３により除去された固形異物は、図５（ｃ）に示すように、前記除塵装置３とポンプ装置５の間に配置された機械式の水平コンベア機構８ａを介して一側方に搬送された後に傾斜コンベア機構８ｂにより回収ホッパ１１に搬送投入されたり野積みされた後に、産廃処理場に運搬されて処理されていた。
【非特許文献１】平成１３年２月  社団法人河川ポンプ施設技術協会発行、国土交通省総合政策局建設施工企画課監修  「揚排水ポンプ設備技術基準（案）同解説」
【発明の開示】
【発明が解決しようとする課題】
【０００４】
しかし、上述した従来の排水機場設備によれば、流入水路、除塵機構、吸水槽、吐出し水槽が本流河川に向けてシリーズに配置されていたので、それに見合う設置面積が要されると共に、除塵装置により除去された固形異物を搬送するコンベア機構や洪水の終了するまで貯留するためのスペースの確保も必要で、広い設置面積を確保する必要があるばかりでなく、コンベア機構を作動させるための外部エネルギーの供給やメンテナンスなどの維持コストや、回収物の腐敗による悪臭の発散を回避するための密閉式ホッパや脱臭設備などの設備コストなどが嵩むという問題があった。
【０００５】
本発明の目的は、上述の従来欠点に鑑み、省スペースな排水機場の構成を可能とし、さらには維持コスト、設備コストを低減できる排水機場設備を提供する点にある。
【課題を解決するための手段】
【０００６】
上述の目的を達成するため、本発明による排水機場設備の第一の特徴構成は、特許請求の範囲の書類の請求項１に記載した通り、支流河川より流入水路に流入した水から固形異物を分離するバースクリーンと、前記バースクリーンに沿って固形異物を上方に掻揚げ搬送する掻揚げ機構を備えた除塵装置と、前記除塵装置による除塵後に吸水槽に流入した水を吐出し水槽に排水するポンプ装置と、前記吐出し水槽から本流河川に排水する吐出し樋管を備えて構成される排水機場設備であって、前記吐出し水槽を、前記除塵装置と前記ポンプ装置の中間に設置し、前記掻揚げ機構により掻き揚げられた固形異物が前記吐出し水槽に落下搬送されるように構成してある点にある。
【０００７】
上述の構成によれば、掻揚げ機構により掻き揚げられた固形異物が、前記除塵装置と前記ポンプ装置の中間に設置された吐出し水槽に落下して、ポンプ装置により吐き出された水流により搬送されるので、別途のコンベア機構を設ける必要が無くなり、それだけ省スペースで、且つ、維持コストを低減できるようになった。さらに、吐出し水槽から吐出し樋管を介して本流河川に固形異物をそのまま放流することが可能となるので、排水機場に回収ホッパの設置や野積み用のスペースを確保する必要が無くなるので、それだけ排水機場を省スペースに構成でき、設備コストも低減することが可能となるのである。
【０００８】
同第二の特徴構成は、同請求項２に記載した通り、支流河川より流入水路に流入した水から固形異物を分離するバースクリーンと、前記バースクリーンに沿って固形異物を上方に掻揚げ搬送する掻揚げ機構を備えた除塵装置と、前記除塵装置による除塵後に吸水槽に流入した水を吐出水槽に排水するポンプ装置と、前記吐出水槽から本流河川に排水する吐出し樋管を備えて構成される排水機場設備であって、前記除塵装置により除去された固形異物を前記吐出水槽に搬送する搬送機構を設けてある点にある。
【０００９】
上述の構成によれば、搬送機構により吐出し水槽に搬送された固形異物を吐出し樋管を介して本流河川にそのまま放流することが可能となるので、上述と同様、排水機場に回収ホッパの設置や野積み用のスペースを確保する必要が無くなり、それだけ排水機場を省スペースに構成でき、設備コストも低減することが可能となるのである
【発明の効果】
【００１０】
以上説明した通り、本発明によれば、省スペースな排水機場の構成を可能とし、さらには維持コスト、設備コストを低減できる排水機場設備を提供することができるようになった。
【発明を実施するための最良の形態】
【００１１】
以下、本発明による排水機場設備の実施の形態を説明する。図１（ａ），（ｂ）に示すように、支流河川Ｒ１より流入水路２に流入した水から固形異物を分離するバースクリーン３ａと、前記バースクリーン３ａに沿って固形異物を上方に掻揚げ搬送する掻揚げ機構３ｂを備えた除塵装置３と、前記除塵装置３による除塵後に吸水槽４に流入した水を吐出し水槽６に排水するポンプ装置５と、前記吐出し水槽６から本流河川Ｒ２に排水する吐出し樋管７を備えて排水機場設備が構成される。
【００１２】
前記バースクリーン３ａは、流入水に浮遊するごみや流木などの固形異物を除去して吸水槽４に設置されたポンプ装置５を保護するもので、目幅が５０〜１５０ｍｍ程度の縦形のバースクリーンを、下流側に約７５度程度の角度で傾斜配置されている。
【００１３】
前記掻揚げ機構３ｂは、前記バースクリーン３ａと直交する方向に横設された櫛歯状の掻揚げアーム３０を、図示しない駆動機構によりバースクリーン３ａに沿って斜め上方に引上げ移動させることにより、前記バースクリーン３ａで除去された固形異物が上方に掻揚げ搬送されるように構成されている。
【００１４】
前記ポンプ装置５は、前記吸水槽４に配置された立軸ポンプ５ａ，５ｂで構成され、前記吸水槽４の上部の建屋１２に設置された原動機５ｃ，５ｄによって前記立軸ポンプ５ａ，５ｂの回転軸が回転駆動されている。
【００１５】
前記吐出し水槽６は、前記除塵装置３と前記ポンプ装置５の中間に設置され、底部近傍の側壁に連設された前記立軸ポンプ５ａ，５ｂの吐出口５ｅ，５ｆからの吐出水が管内寸法１０００〜２０００ｍｍの吐出し樋管７から本流河川Ｒ２に放流される。前記掻揚げ機構３ｂにより掻き揚げられた固形異物は、その排出部から前記吐出し水槽６に落下し、前記吐出し水槽６の水流により固形異物も前記吐出し樋管７から本流河川Ｒ２に放流されるように構成されている。
【００１６】
大量の降雨などによる洪水時に前記吸水槽４の水位がＨＷＬに達したときに、図外の自然排水路に設けたゲート機構が閉じられて、上述のポンプ装置５が作動される。前記吐出し水槽６は少なくとも洪水時の本流河川Ｒ２の水位ＨＷＬ＋αと同水位を確保可能に構成されているので、前記吐出し樋管７から本流河川Ｒ２に確実に放流される。これにより、除塵装置３により除去された固形異物の回収ホッパの設置や野積み用のスペースを確保する必要が無くなるので、それだけ排水機場を省スペースに構成でき、維持、設備コストも低減することが可能となる。
【００１７】
以下に別実施形態を説明する。上述の実施形態では、除塵装置３により除去された固形異物が吐出し水槽６、吐出し樋管７を介して本流河川Ｒ２に放流されるものを説明したが、吐出し樋管７の上流側に第二の除塵装置を設けて、第二の除塵装置により回収された固形異物をその直下に設けた回収ホッパに落下収容するように構成することも可能で、この場合には、機械式のコンベア機構を設ける必要が無く、それだけ省スペースで、且つ、維持コストを低減できるようになる。
【００１８】
流入水路２から吸水槽４までの間に吐出し水槽６を設置することにより、少なくとも吐出し水槽６の幅だけ流入水路２から吸水槽４までの距離をかせぐことができるので、流入水路６からの流入水がより整流、減速されることになる。そこで、図２に示すように、流入水路２の幅を狭くして除塵装置３を小型に構成してもポンプ装置５を安定作動させることが可能になる。
【００１９】
上述した実施形態では、吐出し水槽６を、前記除塵装置３と前記ポンプ装置５の中間に設置し、前記掻揚げ機構３ｂにより掻き揚げられた固形異物が前記吐出し水槽６に落下搬送されるように構成したものを説明したが、除去された固形異物を本流河川Ｒ２に水とともに放流するための構成としては、図３に示すように、前記除塵装置３により除去された固形異物を吐出し水槽６に搬送する機械式の搬送機構８を設けて構成するものであってもよい。即ち、掻揚げ機構３ｂにより掻き揚げられた固形異物を水平搬送コンベア機構８ａにより除塵装置３の一側部に搬送し、さらに傾斜搬送コンベア機構８ｂにより、吸水槽４に対して除塵装置３とは反対側に配置された吐出し水槽６に投入することにより、排水機場に固形異物の回収ホッパの設置や野積み用のスペースを確保する必要が無くなるという効果を確保することができる。
【図面の簡単な説明】
【００２０】
【図１】（ａ）は排水機場設備の平面図、（ｂ）は同断面図
【図２】別実施形態を示し、（ａ）は排水機場設備の平面図、（ｂ）は同断面図
【図３】別実施形態を示し、（ａ）は排水機場設備の平面図、（ｂ）は同断面図
【図４】従来例を示し、（ａ）は排水機場設備の平面図、（ｂ）は同断面図
【図５】従来例を示し、（ａ）は排水機場の平面図、（ｂ）は同断面図、（ｃ）は除塵装置の説明図
【符号の説明】
【００２１】
２：流入水路
３：除塵装置
３ａ：バースクリーン
３ｂ：掻揚げ機構
４：吸水槽
５：ポンプ装置
６：吐出し水槽
７：吐出し樋管
Ｒ１：支流河川
Ｒ２：本流河川
【図１】
2005179963.tif 000003
【図２】
2005179963.tif 000004
【図３】
2005179963.tif 000005
【図４】
2005179963.tif 000006
【図５】
2005179963.tif 000007